(57)【要約】【課題】隣接する床部材を接合して構築される防水床において、接合部における防水性の向上を図る。【解決手段】防水床部材１，２は別個の架台４に支持され、上側となる防水床部材１の架台４は接合部Ｊ側の端縁部を支持しない。下側となる防水床部材２を支持する架台４には張出部４ａが設けられ、その上面に支持部６が設けられる。上側の防水床部材１における接合側の端縁部は、架台４の支持部６と下側の防水床部材２の受載部２０とによって支持され、ネジｔで固定すると共に、接合面を接着剤Ｓでシールする。上側の防水床部材１における接合部Ｊ側の端部は比較的自由度が大きいから、下側の防水床部材２の挙動に容易に追従できるので、シール性の低下を招くおそれがない。重ね合わせ領域Ｒに排水勾配を付与したので、接合部Ｊに水が浸入しにくい。【選択図】      図１
2006083520.tif 000002
【特許請求の範囲】
【請求項１】
隣接する防水床部材を一部重ね合わせて水密的に接合することにより防水床を構築するための構造であって、上側の防水床部材と下側の防水床部材とが架台に載設され、前記防水床部材の重ね合わせ領域の下方に少なくとも前記下側の防水床部材を支持する架台が位置し、前記上側の防水床部材における少なくとも重ね合わせ領域の荷重が前記下側の防水床部材を支持する架台により支持されるように構成されていることを特徴とする防水床構造。
【請求項２】
上側の防水床部材を支持する架台と下側の防水床部材を支持する架台とは別体である請求項１に記載の防水床構造。
【請求項３】
下側の防水床部材を支持する架台に、下側の防水床部材の下面から前記重ね合わせ領域を超えて上側の防水床部材の下面まで延びる延設部分を形成し、当該延設部分に、上側の防水床部材を支持する支持部を設けた請求項２に記載の防水床構造。
【請求項４】
下側の防水床部材における上側の防水床部材が重ね合わされる面と、前記下側の防水床部材を支持する架台における延設部分に設けた上側の防水床部材を支持する支持部の支持面とが実質的に平行である請求項３に記載の防水床構造。
【請求項５】
上側の防水床部材を支持する架台と下側の防水床部材を支持する架台とが共通である請求項１に記載の防水床構造。
【請求項６】
少なくとも防水床部材の重ね合わせ領域に、上側の防水床部材から下側の防水床部材へ向かって下り勾配となる方向の排水勾配が設けられている請求項１乃至５のいずれかに記載の防水床構造。
【請求項７】
少なくとも一方の防水床部材に水平基準面と高さ調節手段とが設けられ、当該防水床部材の主要面が、前記水平基準面に対し所定の勾配を持つように形成されている請求項１乃至６のいずれかに記載する防水床構造。
【発明の詳細な説明】
【技術分野】
【０００１】
本発明は、隣接する床部材を接合してなる防水床の構造に関し、接合部の防水性の向上を図ることを目的とする。
【背景技術】
【０００２】
複数の床部材を接合して防水床を構築する技術は例えば特許文献１に記載されている。この種の防水床における床部材どうしの接合部分は、図７に示すような構造が従来採用されている。各床部材３０，３２はそれぞれ、高さ調節脚５０で高さ調節可能に支持された架台４０上に載設されている。そして、一方の床部材３０の端縁部に、一段低く形成した接合段部３０を設け、この接合段部３１上に、もう一方の床部材３２の端縁部を重ね合わせ、ボルト・ナット、ねじ、接着剤等で両者を固定すると共に、両者間を接着剤Ｓ等でシールするというものである。
【特許文献１】特開平９−３１６９５２号公報
【発明の開示】
【発明が解決しようとする課題】
【０００３】
前記従来の防水床構造は、各床部材３０，３２がそれぞれ別個の架台４０に載設されているため、両者の接合にあたっては正確な高さ調整（レベル出し）が必要である。レベル出しが不正確であると、接合部における水密性が悪くなる。それ故、施工作業は手間暇をかけて慎重に行わねばならず能率が悪い。また、正確なレベル出しにはある程度の熟練を要するという欠点もある。
【０００４】
また前記従来の接合構造では、各防水床部材３０，３２が個別に支持されているため、例えば地震等の外力が加わったときに、双方が同様に振動するとは限らない。また一方の防水床部材だけに外力が作用したときに、その挙動に他方の防水床部材が必ずしも追従するとは限らない。例えば、二つの防水床部材３０，３２をそれぞれ浴室の洗い場と浴槽設置部とに対応させた場合、各防水床部材３０，３２は異なった挙動を示し、しかもこれが反復される。その結果、二つの防水床部材３０，３２の接合部分に応力が集中し、シールが破壊され漏水を招くおそれがあった。
【課題を解決するための手段】
【０００５】
本発明が、隣接する防水床部材を一部重ね合わせて水密的に接合することにより防水床を構築するための構造において、前記従来の問題点を解決するために採用した手段の特徴とするところは、請求項１に記載する如く、上側の防水床部材と下側の防水床部材とが架台に載設され、前記防水床部材の重ね合わせ領域の下方に少なくとも前記下側の防水床部材を支持する架台が位置し、前記上側の防水床部材における少なくとも重ね合わせ領域の荷重が前記下側の防水床部材を支持する架台により支持されるように構成されていることである。
【０００６】
前記防水床構造において、請求項２に記載する如く、上側の防水床部材を支持する架台と下側の防水床部材を支持する架台とは別体とすることができる。この場合において、請求項３に記載する如く、下側の防水床部材を支持する架台に、下側の防水床部材の下面から前記重ね合わせ領域を超えて上側の防水床部材の下面まで延びる延設部分を形成し、当該延設部分に、上側の防水床部材を支持する支持部を設けてもよい。
【０００７】
さらに前記防水床構造において、請求項４に記載する如く、下側の防水床部材における上側の防水床部材が重ね合わされる面と、前記下側の防水床部材を支持する架台における延設部分に設けた上側の防水床部材を支持する支持部の支持面とを実質的に平行なものとするとよい。
【０００８】
ところで本発明に係る防水床構造は、請求項５に記載する如く、上側の防水床部材を支持する架台と下側の防水床部材を支持する架台とを共通にすることも可能である。
【０００９】
なお前述した本発明に係る防水床構造において、請求項６に記載の如く、少なくとも防水床部材の重ね合わせ領域に、上側の防水床部材から下側の防水床部材へ向かって下り勾配となる方向の排水勾配を設けることが望ましい。
【００１０】
さらに前述した本発明に係る防水床構造において、請求項７に記載の如く、少なくとも一方の防水床部材に水平基準面と高さ調節手段とを設け、当該防水床部材の主要面を、前記水平基準面に対し所定の勾配を持つように形成してもよい。
【発明の効果】
【００１１】
請求項１に記載の防水床構造によれば、防水床部材の重ね合わせ領域の下方に位置させた下側の防水床部材を支持する架台によって、前記上側の防水床部材における少なくとも重ね合わせ領域の荷重が支持されるように構成したので、隣接する防水床部材における少なくとも重ね合わせ領域の挙動が一致しやすくなる。従って接合部のシール構造が破壊されにくくなり、水密性に対する信頼性が高まる。また、上側の防水床部材の高さ位置は、下側の防水床部材に重ね合わせることによって規定されるから、高さ合わせ作業が容易になり、施工性が向上する。
【００１２】
請求項２に記載の如く、上側の防水床部材を支持する架台と下側の防水床部材を支持する架台とを別体とすることにより、施工しようとする防水床の寸法変更が容易になる。この場合において、請求項３に記載の如く、下側の防水床部材を支持する架台に形成した延設部分に、上側の防水床部材を支持する支持部を設けることにより、上側の防水床部材の支持が安定し、耐荷重強度が増大する。
【００１３】
さらに請求項４に記載の如く、防水床部材の重ね合わせ面と、架台に設けた支持面とを実質的に平行とした場合は、上側の防水床部材を重ね合わせ面の方向へ平行移動させることが容易になるので、防水床部材の重ね合わせ量を増減させて、防水床の寸法変更を円滑に行える。
【００１４】
請求項５に記載の防水床構造によれば、上側の防水床部材を支持する架台と下側の防水床部材を支持する架台とが共通なので、上側の防水床部材と下側の防水床部材とが確実に同じ挙動を示すようになり、接合部の水密性を容易に確保できる。
【００１５】
請求項６に記載の防水床構造によれば、少なくとも防水床部材の重ね合わせ領域に排水勾配を設けたので、防水床部材の重ね合わせ量を変更して防水床の寸法変更を行っても、シール性能が損なわれることがない。しかも、水が重ね合わせ領域に浸入したり漏出したりしにくくなるから、優れたシール性能を発揮する。
【００１６】
請求項７に記載の防水床構造によれば、一方の防水床部材に設けた水平基準面を水平に調節すれば、当該防水床部材の主要面が自動的に所定の勾配を持つようにできるから、施工作業時の手間が非常に軽減される。
【発明を実施するための最良の形態】
【００１７】
［第１の実施形態］
図１に、本発明を、浴室の床部を構築するのに用いられる防水床Ｆに適用した一例を掲げる。この防水床Ｆは、ＦＲＰ等で製作される二つの防水床部材１，２から構成される。各防水床部材１，２はそれぞれ別個の架台４に載設され、高さ調節手段としてのボルト・ナット等の組み合わせ等よりなる高さ調節脚５を有している。防水床部材１，２は、架台４に接着剤等で固定されるが、架台４と一体形成される場合もある。上記防水床Ｆは、上記二つの防水床部材１，２の端縁部を重ね合わせて接合することにより構成されるが、その接合部Ｊの構造については後述する。なお、防水床Ｆの表面を床面とする以外に、防水床Ｆ上に適宜の床材を配置して床面を構成する場合もある。
【００１８】
通常、上側になる防水床部材１は、浴室の洗い場の一部を構成し、下側になる防水床部材２で、洗い場の残りの部分と浴槽の設置部とを構成する。本例では、下側となる防水床部材２に、洗い場領域と浴槽設置領域との境界部分が谷部１０となるような排水勾配を設けた。すなわち、図１（Ｂ）に示すように、洗い場領域及び浴槽設置領域がいずれも谷部１０に向かって下り勾配となる緩斜面に形成され、全体としてごく緩やかなＶ字形となっている。また、下側の防水床部材２には、谷部１０の近傍であって且つ一方の側縁近傍に排水口３が形成されている。本例では、洗い場用と浴槽用の排水口３を２個形成し、両者を親子トラップ３ａで連接する構造を採用してある。
【００１９】
上に述べたように、下側の防水床部材２自体には、谷部１０へ向かう排水勾配、つまり図１（Ａ）において矢印で示すＸ方向の排水勾配が設けられているが、防水床Ｆの設置にあたっては、さらに谷部１０と平行な方向の排水勾配、つまり図１（Ａ）において矢印で示すＹ方向の排水口３へ向かう排水勾配を付与することが望ましい。このＹ方向の排水勾配は、架台４を支える高さ調節脚５の高さ調節をすることによって設けることが可能である。上記Ｘ方向の排水勾配と、Ｙ方向の排水勾配とを与えることにより、防水床Ｆには両者を合成したＺ方向の排水勾配が設けられるから、防水床Ｆ上に落下した水を確実に排水口３へ導くことが可能である。
【００２０】
本例では、上側の防水床部材１が載設される架台４は、当該防水床部材１における非接合側の端縁部を支持し、接合部Ｊ側の端縁部の支持は行わないように構成されている。下側の防水床部材２を支持する架台４は、少なくとも重ね合わせ領域Ｒの下方に位置するものであって、望ましくは図２に示すように、上側の防水床部材１の下面まで達する延設部分４ａを設けると共に、この延設部分４ａの上面に、上側の防水床部材１の下面に当接して荷重を支持し得る支持部６を設ける。上側の防水床部材１における接合側の端縁部は、上記支持部６と共に、下側の防水床部材２の側縁部に形成した平坦な受載部２０によっても支持される。すなわち、下側の防水床部材２における端縁に起立段部２ｂを形成し、その上面に設けた平坦な受載部２０上に、もう一方の防水床部材１の端部を重ね合わせ、ネジｔやボルト・ナット等で両者を固定すると共に、接合面を接着剤Ｓ等適宜のシール部材でシールされる。さらに本例では、シール性能を高めるため、上側の防水床部材１の端縁に垂下部１ａを形成し、この垂下部１ａの下端を、下側の防水床部材２に当接させ、両者間をコーキング材Ｋでシールするという構造を採用してある。
【００２１】
なお前記垂下部１ａの当接位置は、下側の防水床部材２を支持する高さ調節脚５のうち最も側縁部に近いものと、当該下側の防水床部材２の谷部１０との間とすることが望ましい。これは、垂下部１ａの当接位置を下側の防水床部材２の側縁部近くに設定すると、大きな荷重が加わったときに、下側の防水床部材２の中央側を浮き上がらせるおそれがあるからである。
【００２２】
前記の如き構成により、上側の防水床部材１における重ね合わせ領域Ｒ側の端部の荷重は、これが載設される方の架台４（図面の左側）ではなく、下側の防水床部材２を支持する架台４（図面の右側）によって支持される構造となる。つまり、重ね合わせ領域Ｒにあっては、上側の防水床部材１の端縁は比較的自由度が大きくなっているから、下側の防水床部材２の挙動に容易に追従できる。従って、両者の挙動が一致しやすいので、シール性の低下を招くおそれがない。
【００２３】
前述したように、下側の防水床部材２には前記谷部１０へ向かう方向の排水勾配が設けられており、さらに、前記支持部６の支持面及び受載部２０にも同様の排水勾配が付与されている。従って、重ね合わせた上側の防水床部材１にも同様の排水勾配が付与される。それ故、接合部Ｊに水が浸入しにくくなり、万一、水が浸入したとしても、防水床Ｆの裏面側へ漏出する可能性は低くなる。つまり、高いシール性能を発揮する。また、上側の防水床部材１を重ね合わせる支持部６と、下側防水床部材２の受載部２０とは実質的に平行であり、且つ、いずれも平坦に形成されているから、重ね合わせ量（調整代：図１参照）の増減幅を大きくとることができる。従って、現場における防水床Ｆの設置可能寸法が設計寸法より小さい場合でも、幅寸法を縮小して容易に対処することが可能である。しかも本発明では、重ね合わせ寸法を増減させても、接合部Ｊの排水勾配が維持される構造なので、シール性能に悪影響を及ぼさない。
【００２４】
なお図示は省略するが、防水床部材１，２のいずれか一方、望ましくは下側の防水床部材２に水平基準面を設け、当該防水床部材２の主要面が、水平基準面に対し所定の勾配を持つように設定することが考えられる。水平基準面としては、たとえば防水床部材２の周縁部に設けられる壁パネルの立設部が採用される。この構成によれば、下側の防水床部材２を設置するにあたり、水平基準面が水平となるように調整すれば、当該防水床部材２の主要面に所定の排水勾配が自動的に付与される。そして、上側の防水床部材１は、下側の防水床部材２を基準として高さ調節すればよいから、熟練を要したレベル出しが不要となり、施工能率の著しい向上がもたらされる。
【００２５】
［第２の実施形態］
隣接する二つの防水床部材１，２を接合するにあたり、両者を共通の架台４に載設することにより、接合部Ｊのシール性を確保することが可能である。本例では、図３に示すように、上側の防水床部材１の下面に接着剤Ｓ等で補強材７を取り付け、この補強材７を介して、架台４に載置する構成を採用した。補強材７は架台４にリベット８等で固定する。また、上側の防水床部材１と下側の防水床部材２との接合は、下側の防水床部材２に形成した起立段部２ｂ上面に、上側の防水床部材１の端部を重ね合わせ、ネジｔやボルト・ナット等で両者を固定すると共に、接合面を接着剤Ｓ等適宜のシール部材でシールする。さらに、上側の防水床部材１の端縁に垂下部１ａを形成し、この垂下部１ａの下端部を、下側の防水床部材２に当接させ、両者間をコーキング材Ｋでシールする。
【００２６】
かかる構成によれば、上下の防水床部材１，２を共通の架台４に載設したので、両者が異なる挙動を示すことがほとんどない。例えば、一方の防水床部材に加えられた衝撃は、架台４を伝ってもう一方の防水床部材へ伝播するから、両者はほぼ同一の振動を起こすことになる。依って、接合部Ｊにおけるシール性能に対し高い信頼性が得られる。
【００２７】
上側の防水床部材１の下面に配置される補強材７の構造としては、板状・棒状・格子状等が挙げられる。補強材７を棒状または格子状とすることにより、図４に例示する如く、上側防水床部材１に作業口９を設けることが可能となる。作業口９を設けることにより、補強材７を架台４にリベット８（図３（Ｂ）参照）等で固定する作業を容易に行える。
【００２８】
［その他の実施形態］
隣接する防水床部材１，２の接合部Ｊの構造については、様々な態様が考えられる。最も基本的には図５（Ａ）の如く平坦面どうしを接合する構造が挙げられるが、図５（Ｂ）に示す如く、上側の防水床部材１における端縁に垂下部１ａを形成し、この垂下部１ａの下端を、下側の防水床部材２の受載部２０に当接させ、両者間を接着剤Ｓでシールする構造を採用することも可能である。かかる接合部Ｊの構造は、上側の防水床部材１における端縁の剛性が向上するから、防水床Ｆに荷重が加わったときに変形が生じにくくなり、よってシール性能の確保が容易である。なお、垂下部１ａを形成する位置は、防水床部材１の端縁に限らず、端縁近傍であってもよい。さらに上記に加え、図５（Ｃ）に示す如く、下側の防水床部材２における端縁に起立部２ａを形成する構造を採用することも可能である。かかる構造によれば、万一、接合部Ｊを水が通過したとしても、上記起立部２ａでその水を堰き止めるから、防水床Ｆ外部への漏水を防止する効果が確実になる。なお、起立部２ａを形成する位置は、防水床部材２の端縁近傍としてもよい。
【００２９】
接合部Ｊの構造は、図６（Ａ）の如く、下側の防水床部材２の端縁又は端縁近傍に上方へ突出する起立段部２ｂを形成し、該起立段部２ｂの上面に形成した平坦な受載部２０の上に、上側となる防水床部材１を重ね合わせてネジｔ等で固定すると共に、両者間を接着剤Ｓでシールする構造も考えられる。かかる接合部Ｊの構造によれば、防水床部材１，２の接合面の位置が、下側の防水床部材２の主要面部より高い位置になる。つまり、起立段部２ｂが堤防の機能を果たすから、水が接合部Ｊに浸入しにくくなるという効果が発揮される。なお起立段部２ｂの構造は、図６（Ｂ）のように、防水床部材２の端縁部の厚みを増大させて形成したものであってもよい。
【図面の簡単な説明】
【００３０】
【図１】本発明に係る防水床の第１の実施形態を示すものであって、図（Ａ）は平面図、図（Ｂ）は正面断面図である。
【図２】図１に示す防水床における接合部の構造を拡大して示す正面図である。
【図３】本発明に係る防水床の第２の実施形態を示すものであって、図（Ａ）は正面図、図（Ｂ）は接合部を拡大して示す正面図である。
【図４】図３に示す防水床の平面図である。
【図５】本発明に係る防水床における防水床部材の接合部構造を示すものであって、図（Ａ）〜（Ｃ）はそれぞれ異なる態様を示す要部の断面図である。
【図６】本発明に係る防水床における防水床部材の接合部構造の他の例を示すものであって、図（Ａ）（Ｂ）はそれぞれ異なる態様を示す要部の断面図である。
【図７】従来の防水床における防水床部材の接合部構造を示す要部の断面図である。
【符号の説明】
【００３１】
Ｆ…防水床  Ｊ…接合部  Ｒ…重ね合わせ領域  Ｓ…接着剤  １…防水床部材（上側）  １ａ…垂下部  ２…防水床部材（下側）  ２ａ…起立部  ２ｂ…起立段部  ３…排水口  ４…架台  ５…高さ調節脚  ６…支持部  ７…補強材  ９…作業口  １０…谷部  ２０…受載部
【図１】
2006083520.tif 000003
【図２】
2006083520.tif 000004
【図３】
2006083520.tif 000005
【図４】
2006083520.tif 000006
【図５】
2006083520.tif 000007
【図６】
2006083520.tif 000008
【図７】
2006083520.tif 000009